(57)【要約】【課題】光コネクタのコネクタ本体にシャッター部材を組み込む場合、シャッター部材等の部品数が多く構造が複雑化し、製作費が高価になり、規格化されコネクタ本体の構造上の制約の大きな光コネクタに適用できず汎用性に欠ける。【解決手段】光コネクタのコネクタ本体に、プラグ装着穴と、このプラグ装着穴内で出射光を遮断可能なシャッター部とコネクタ本体へ取付ける為のアンカー部とを一体形成した弾性体からなるシャッター部材とを設け、コネクタ本体の側壁部に、シャッター部材のアンカー部を、前方からプラグ装着方向と平行に挿入して固定可能なアンカー穴を形成した。シャッター部材の組み付けの際、シャッター部材のシャッター部をプラグ装着穴に挿入し、シャッター部材のアンカー部を前方からアンカー穴に挿入すると、アンカー部が復帰側に弾性変形して抜け止め状に固定保持される。【選択図】  図１０
2005017598.tif 000002
【特許請求の範囲】
【請求項１】
アダプタ型又はレセプタクル型のコネクタ本体であって、光ファイバの端部を保持するプラグを少なくとも前方から着脱可能なコネクタ本体を備えた光コネクタにおいて、
前記コネクタ本体に、前記プラグを装着する為のプラグ装着穴と、このプラグ装着穴内で出射光を遮断可能なシャッター部とコネクタ本体へ取付ける為のアンカー部とを一体形成した弾性体からなるシャッター部材とを設け、
前記コネクタ本体のプラグ装着穴の外側の側壁部に、前記シャッター部材のアンカー部を、前方からプラグ装着方向と平行に挿入して固定可能なアンカー穴を形成したことを特徴とする光コネクタ。
【請求項２】
前記シャッター部材のシャッター部は、プラグ装着穴内で出射光を遮断する遮断位置と、プラグ装着穴に装着されたプラグにより前記側壁部側へ押圧された退避位置とに亙って弾性変形可能に構成されたことを特徴とする請求項１に記載の光コネクタ。
【請求項３】
前記コネクタ本体のプラグ装着穴の内面のうち前記側壁部側の内面に、前記退避位置に切り換えられた前記シャッター部材のシャッター部を逃す逃し溝を形成したことを特徴とする請求項２に記載の光コネクタ。
【請求項４】
前記シャッター部材は弾性のある薄金属板で構成され、前記シャッター部材は、シャッター部とアンカー部の境界部に形成され前記側壁部の前端の前端溝に当接する前端板部を有し、前記アンカー部はその前端板部の端部から後方へ前記アンカー穴内へほぼ直線的に延びるアンカー本体板部と、このアンカー本体板部の後端から前方且つ内側へＶ字状に折り返えした抜止め板部とを備えたことを特徴とする請求項１に記載の光コネクタ。
【請求項５】
前記アンカー穴は、前記側壁部の前端に開口するように形成されアンカー部が偏平に弾性変形した態で通過可能な偏平穴部と、この偏平穴部の奥端に連通し偏平穴部よりも内側へ拡大した拡大穴部とを備えたことを特徴とする請求項４に記載の光コネクタ。
【請求項６】
前記拡大穴部の前端部の内側部に、前記アンカー部の抜止め板部の前端の自由端部が当接する傾斜状又は湾曲状の受止め部を形成したことを特徴とする請求項５に記載の光コネクタ。
【発明の詳細な説明】
【０００１】
【発明の属する技術分野】本発明は、アダプタ型又はレセプタクル型のコネクタ本体に光を遮断可能な簡単な構造のシャッター部材を設けた光コネクタに関する。
【０００２】
【従来の技術】光ファイバの光学接続の為の光コネクタは、プラグ装着穴が形成されたコネクタ本体を主体に構成され、その１対のプラグ装着穴又は１つのプラグ装着穴にプラグを装着することで光ファイバの光学接続がなされる。但し、世間ではアダプタ型のコネクタ本体をアダプタ、レセプタクル型のコネクタ本体をレセプタクル、プラグをコネクタと称することもある。
【０００３】
例えば、アダプタ型のコネクタ本体を有する光コネクタには、少なくとも１対のプラグ装着穴が形成され、その一方のプラグ装着穴のみに光ファイバのプラグが装着された状態においては、そのプラグの光ファイバから発したレーザ光が他方側のプラグ装着穴の方へ投射され、それが人間の目に入ると悪影響を及ぼす。このことは、レセプタクル型のコネクタ本体を備えた光コネクタにおいても同様である。
そこで、従来、コネクタ本体のプラグ装着穴の内部や、プラグ装着穴の付近に、プラグ未装着状態のときにレーザ光を遮断するシャッター部材を設けた光コネクタが種々提案されている。
【０００４】
例えば、特許文献１に記載の光コネクタにおいては、コネクタ本体に取り付けたパネル側のブラケットに、シャッターをヒンジ結合して、プラグ装着穴を開閉可能に構成してある。特許文献２に記載の光コネクタにおいては、コネクタ本体の内部に、可動部材と、この可動部材の先端にヒンジ結合されフェルール挿入筒の先端を開閉可能な蓋部材と、可動部材を付勢するバネ部材とを設け、プラグ未装着状態においては、蓋部材でフェルール挿入筒の先端を遮断し、プラグを装着する際には、プラグの先端部で可動部材を押動しつつ、蓋部材を９０度回動させて可動部材と直列姿勢にして、遮断状態を解除して後退させる。
【０００５】
特許文献３に記載の光コネクタにおいては、合成樹脂製の側面視横向き「レ」の字形のシャッター板と、このシャッター板をコネクタ本体に固定する金属製の支持板とを設け、シャッター板は、取り付けー用の底板部と、この底板部の先端から斜めに立ち上がったシャッター用の立ち上がり部とを有する。支持板は、十文字状の底部板と、この底部板の左右両端から立ち上がった側部板とを有し、コネクタ本体の左右の側壁部の外面部には、支持板の左右の側部板を嵌合固定する為の浅溝が形成されている。シャッター板を組み付ける場合、シャッター板の底板部をコネクタ本体の底面の浅溝に装着し、シャッター板の立ち上がり部をプラグ装着穴に傾斜状に配置し、シャッター板の外面側に、支持板の底部板を配置し、支持板の左右の側部板を、コネクタ本体の左右の側壁部の浅溝に嵌合固定することで、シャッター板を支持板でコネクタ本体に固定している。
【０００６】
【特許文献１】特開平９−２０３８７０号公報（２頁，図１，図４）
【特許文献２】特開平１１−３５２３５７号公報（３頁，図１）
【特許文献３】特開２００１−１９４５６２号公報（５，６頁，図１）
【０００７】
【発明が解決しようとする課題】特許文献１の光コネクタでは、シャッターを取り付ける為に、ブラケットやヒンジ結合が必要であるため部品数が多く製作費の面で不利であるうえ、シャッターを手動にて開位置と閉位置に位置切り換えする必要があるので、シャッターの開閉操作が面倒で、到底実用に適するものではない。
【０００８】
特許文献２の光コネクタでは、プラグの装着に連動して、シャッターとして機能する蓋部材を開位置に切り換えることができるものの、可動部材、この可動部材にヒンジ結合した蓋部材等を設けなければならないので、部品数が多く製作費の面で不利であり、コネクタ本体内に可動部材や蓋部材を配置する関係上、特殊構造のコネクタ本体となるので、規格化されコネクタ本体の構造上の制約の大きいＬＣ型光コネクタに適用することは期待できない。
【０００９】
特許文献３に記載の光コネクタにおいては、シャッター板、支持板など複雑な構造でかなり大きな部品が必要であるため、部品の製作費が高価になり、シャッター板と支持板の取り付けの費用も高価になる。しかも、シャッター板や支持板を取り付けるために、コネクタ本体の構造にも影響がでるため、ＬＣ型光コネクタに適用するのに適したものではない。
前記の特許文献の光コネクタ以外に、シャッター部材を接着にて固定する構造を採用すれば、シャッター部材の周辺の構造は簡単化できるものの、組み付けの際に接着剤を塗布する工程が必要となり、製作費が高価になる。
【００１０】
本発明の目的は、部品数が少なく構造が簡単で安価に製作でき簡単に組み付け得るようなシャッター部材を設けた光コネクタを提供すること、ＬＣ型光コネクタなどのような規格化された光コネクタにも適用可能なシャッター部材付き光コネクタを提供すること、等である。
【００１１】
【課題を解決するための手段】請求項１の光コネクタは、アダプタ型又はレセプタクル型のコネクタ本体であって、光ファイバの端部を保持するプラグを少なくとも前方から着脱可能なコネクタ本体を備えた光コネクタにおいて、前記コネクタ本体に、前記プラグを装着する為のプラグ装着穴と、このプラグ装着穴内で出射光を遮断可能なシャッター部とコネクタ本体へ取付ける為のアンカー部とを一体形成した弾性体からなるシャッター部材とを設け、前記コネクタ本体のプラグ装着穴の外側の側壁部に、前記シャッター部材のアンカー部を、前方からプラグ装着方向と平行に挿入して固定可能なアンカー穴を形成したことを特徴とするものである。
【００１２】
この光コネクタにおいてシャッター部材を組み付ける際には、シャッター部材のアンカー部を、シャッター部材のシャッター部をプラグ装着穴に挿入しながら、シャッター部材のシャッター部をプラグ装着穴の外側の側壁部に形成したアンカー穴に挿入すると、そのアンカー穴にアンカー部が固定されるため、シャッター部がプラグ装着穴内に保持され、プラグ装着穴内で出射光を遮断可能になる。プラグ装着穴にプラグが装着されると、そのプラグによりシャッター部が弾性変形して退避するため、出射光を遮断しない状態になる。
【００１３】
請求項２の光コネクタは、請求項１の発明において、前記シャッター部材のシャッター部は、プラグ装着穴内で出射光を遮断する遮断位置と、プラグ装着穴に装着されたプラグにより前記側壁部側へ押圧された退避位置とに亙って弾性変形可能に構成されたことを特徴とするものである。プラグを装着しない状態では、シャッター部材のシャッター部により出射光を遮断可能であり、プラグを装着した状態では、プラグによりシャッター部材が側壁部側へ押圧されて退避位置へ弾性変形する。そのため、シャッター部材の位置切り換えは、プラグの装着・取り外しにより自動的になされる。
【００１４】
請求項３の光コネクタは、請求項２の発明において、前記コネクタ本体のプラグ装着穴の内面のうち前記側壁部側の内面に、前記退避位置に切り換えられた前記シャッター部材のシャッター部を逃す逃し溝を形成したことを特徴とするものである。シャッター部材のシャッター部が退避位置に切り換えられた際には、前記逃し溝に逃れるため、シャッター部材がプラグで無理に圧迫されることもないからシャッター部材の撓みを小さくすることができ、シャッター部材がヘタリにくくなり、耐久性を確保することができる。
【００１５】
請求項４の光コネクタは、請求項１の発明において、前記シャッター部材は弾性のある薄金属板で構成され、前記シャッター部材は、シャッター部とアンカー部の境界部に形成され前記側壁部の前端の前端溝に当接する前端板部を有し、前記アンカー部はその前端板部の端部から後方へ前記アンカー穴内へほぼ直線的に延びるアンカー本体板部と、このアンカー本体板部の後端から前方且つ内側へＶ字状に折り返えした抜止め板部とを備えたことを特徴とするものである。
この光コネクタにおいて、シャッター部材は、シャッター部と前端板部とアンカー部材とを有し、アンカー部は、アンカー本体板部と抜け止め板部とを有する簡単な構造のものである。前記前端板部によりシャッター部材の前後方向の位置を決めることができる。抜け止め板部を設け、この抜け止め板部をアンカー穴に挿入装着することでシャッター部材をコネクタ本体に簡単に固定することができる。
【００１６】
請求項５の光コネクタは、請求項４の発明において、前記アンカー穴は、前記側壁部の前端に開口するように形成されアンカー部が偏平に弾性変形した態で通過可能な偏平穴部と、この偏平穴部の奥端に連通し偏平穴部よりも内側へ拡大した拡大穴部とを備えたことを特徴とするものである。
シャッター部材のアンカー部を偏平に弾性変形させた態で偏平穴部に通過させると、アンカー部材が偏平穴部の奥端に連通した拡大穴部に突入して、アンカー部の抜け止め板部が復帰側へ弾性変形して抜け止め状態に固定される。
【００１７】
請求項６の光コネクタは、請求項５の発明において、前記拡大穴部の前端部の内側部に、前記アンカー部の抜止め板部の前端の自由端部が当接する傾斜状又は湾曲状の受止め部を形成したことを特徴とするものである。
アンカー部のアンカー本体板部に対して抜け止め板部を偏平状態に変形させて偏平穴部に挿入していくと、抜け止め板部が拡大穴部に入って、復帰側へ弾性変形し、抜止め板部の前端の自由端部が傾斜状又は湾曲状の受止め部に確実に当接するため、コネクタ本体に対してシャッター部材をガタツキのない状態に組み付けることができる。
【００１８】
【発明の実施の形態】以下、本発明の実施の形態について、図面を参照しながら説明する。本実施形態は、アダプタ型のコネクタ本体であって、光ファイバの端部を保持するプラグを着脱可能なコネクタ本体を備えた光コネクタに本発明を適用した場合の一例である。
【００１９】
図１に示すように、前方と上方を定義して説明すると、この光コネクタ１におけるアダプタ型のコネクタ本体２は、前後両側から夫々１対のＬＣ型プラグ３を装着して２本の光ファイバを光接続する為のものであり、図１には、１つのＬＣ型プラグ３が図示されている。コネクタ本体２は、合成樹脂製の第１本体分割体４と、合成樹脂製の第２本体分割体５とを背中合わせ状態にして一体的に固着したものであり、第１本体分割体４に、後述の係止爪１１（図１０参照）とシャッター部材３０（図１０参照）を設ける関係上、第１本体分割体４の下側壁部１０の厚さが、第２本体分割体５の下側壁部の厚さよりも大きく形成されている。
【００２０】
第１本体分割体４には１対のプラグ装着穴６が前端開放状に形成され、第２本体分割体５には１対のプラグ装着穴（図示略）が後端開放状に形成されているが、このプラグ装着穴はプラグ装着穴６とほぼ同様のものである。但し、第２本体分割体５にはシャッター部材を設けない。前記第１本体分割体４の後端と第２本体分割体５の前端にはそれら両者の結合と、コネクタ本体２のパネルＰ（図１０参照）への固定の為にフランジ部７，８が形成され、第１本体分割体４の上側壁部には、コネクタ本体２をパネルＰに固定した状態に固定保持する為の弾性変形可能な１対の係止爪９（図１〜図４参照）が形成され、コネクタ本体２の下側壁部１０には１つの係止爪１１（図５〜図７参照）が形成されている。
【００２１】
光ファイバの端部を別の光ファイバに接続する為のＬＣ型プラグ３は、一般的な構造のものであるので詳しい説明は省略するが，プラグ３の内部には光ファイバの端部を保持したフェルールが可動に装着されてスプリングにより弾性付勢され、プラグ３の上面側にはレバー部１２、１対の係止突起１３、操作レバー部１４が形成され、プラグ３をプラグ装着穴６に装着した状態では、レバー部１２が下方へ弾性変形し、１対の係止突起１３がコネクタ本体２の１対の係止段部１５（図１０参照）で係止されて抜け止めされた状態になる。
【００２２】
次に、図２〜図１１に示すように、コネクタ本体２の第１本体分割体４には、１対のプラグ装着穴６が左右に並べて形成されている。図８、図９に示すように、薄板状の弾性体からなるシャッター部材３０は、この実施形態の場合は、例えば厚さ１６０μｍのステンレス板で構成されている。シャッター部材３０は、１対のプラグ装着穴６に配置される左右１対のシャッター部３１と、左右１対のアンカー部３２と、これらシャッター部３１とアンカー部３２とを連結する左右に連続した前端板部３３とを一体形成したものである。つまり、このシャッター部材３０は２組のシャッター部材を一体的に構成したものであるから、部品数を半減でき組み付けの面でも有利である。
【００２３】
１対のシャッター部３１は前端板部３３の上端から後方へ斜め上方へ延び、１対のアンカー部３２は、前端板部３３の下端から後方へ延びている。各シャッター部３１の前部には第１屈曲部３４と第２屈曲部３５とが形成されている。
各アンカー部３２は、前端板部３３の端部から後方へアンカー穴３７内へほぼ直線的に延びるアンカー本体板部３６と、アンカー本体板部３６の後端から前方且つ内側（上側）へＶ字状に折り返えした抜止め板部３７とを備えている。シャッター部材３０の各シャッター部３１は、プラグ装着穴６内でレーザ光（出射光に相当する）を遮断する遮断位置と、プラグ装着穴６に装着されたプラグ３により下側壁側１０へ押圧された退避位置とに亙って弾性変形可能に構成されている（図１０参照）。
【００２４】
次に、コネクタ本体２のうちの第１本体分割体４にシャッター部材３０を取り付ける為の構造について詳しく説明する。図２〜図７、図１０、図１１に示すように、コネクタ本体２の第１本体分割体４の１対のプラグ装着穴６の外側（下側）の下側壁部１０に、シャッター部材３０の１対のアンカー部３２を、前方からプラグ装着方向と平行に挿入して固定可能な１対のアンカー穴３８が形成されている。
【００２５】
各アンカー穴３８は、下側壁部１０の前端に開口するように形成され且つシャッター部材３０のアンカー部３２が偏平に弾性変形した態で通過可能な偏平穴部３８と、この偏平穴部３８ａの奥端に連通し偏平穴部３８ａよりも内側（上側）へ拡大した拡大穴部３８ｂとを備えている。１対の拡大穴部３８ｂは、係止爪１１の内側（上側）において連通している。各拡大穴部３８ｂの前端部の内側部に、アンカー部３２の抜止め板部３７の前端の自由端部３７ａが当接する傾斜状（又は湾曲状）の受止め部３９が形成されている（図１１参照）。
【００２６】
コネクタ本体２の各プラグ装着穴６の内面のうち下側壁部１０側の内面に、退避位置に切り換えられたシャッター部材３０のシャッター部３１を逃す浅い角溝状の逃し溝４０が形成されている。コネクタ本体２にシャッター部材３０を組み付けた状態では、図１０、図１１に示すように、シャッター部３１とアンカー部３２の境界部に形成された前端板部３３は、下側壁部１０の前端の前端溝４１に嵌合して当接し、シャッター部３１がプラグ装着穴６内に後方上がりの約４５度の傾斜状に配設され、アンカー部３２のアンカー本体板部３６が偏平穴部３８ａを挿通して拡大穴部３８ｂに突入し、アンカー部３１の抜止め板部３７の自由端部が傾斜状の受止め部３９で受け止められている。図１１に示すように、シャッター部材３０の前端板部３３と抜止め板部３７の自由端部３７ａとで下側壁部１０の前端壁部１０ａを挟持することで、シャッター部材３０が前後方向に移動不能状態に組み付けられる。
【００２７】
次に、シャッター部材３０を設けた光コネクタ１の作用、効果について説明する。シャッター部材３０を組み付ける際には、シャッター部材３０のシャッター部３１をプラグ装着穴６に挿入した状態で、アンカー部３２の抜止め板部３７をアンカー本体板部３６側へ弾性変形させてへ偏平状態にして、アンカー穴３７の偏平穴部３８ａにプラグ装着方向と平行に後方へ挿入していく。
【００２８】
その後、抜け止め板部３７が拡大穴部３８ｂに入ると、抜け止め板部３７が復帰側へ弾性変形し、その自由端部３７ａの前端が拡大穴部３８ｂの前端部の内側部の受止め部３９に当接し、前端板部３３が前端溝４１に当接状態となり、シャッター部３１がプラグ装着穴６内でレーザ光の通路を遮断する遮断位置（図１０の実線図示位置）になる。プラグ装着穴６にプラグ３が装着されない状態では、シャッター部３１が常に遮断位置に位置するため、第２本体分割体５に装着されたプラグの光ファイバからレーザ光が投射されたとしても、そのレーザ光はシャッター部３１で確実に遮断される。
【００２９】
プラグ装着穴６にプラグ３を装着すると、そのプラグ３によりシャッター部３１が下方へ逃し溝４０内へ押圧されて退避位置になり、プラグ３のフェルールの先端部がフェルール挿入筒４２（図１０参照）に挿入されるから、プラグ３のフェルールを介しての光ファイバ同士の接続に支障をきたすことはない。しかも、シャッター部材３０が逃し溝４０に入ってプラグ３により強く押圧されないため、シャッター部材３０がヘタリにくくなり、耐久性に優れたものとなる。その後、プラグ３を取り外すと、シャッター部材３０のシャッター部３１が再び遮断位置に自動的に切り換わるため、シャッター部３１を切り換える操作を別途行う必要はない。
【００３０】
この光コネクタ１において、シャッター部材３０がシャッター部３１と前端板部３３とアンカー部３２とからなる簡単な構造の小さな軽量の一体品であるから、シャッター部材３０の製作費は非常に安価である。シャッター部材３０を組み付ける際には、シャッター部材３０のアンカー部３２をアンカー穴３７に挿入するという簡単な作業で簡単に組み付けることができる。しかも、シャッター部材３０の取り付けの為にコネクタ本体２の下側壁部１０に、小型の偏平穴部３８と拡大穴部３９とからなるアンカー穴３７を形成するだけでよいから、アンカー穴
３７の形成の為にコネクタ本体２の構造が殆ど複雑化することもない。
そのため、光コネクタ１にシャッター部材３０を組み込む為の製作費は全体として非常に安価で済む。しかも、プラグ装着穴６に殆ど影響なく、シャッター部材３０を組み込むことができるから、規格化された例えばＳＣ型光コネクタにも適用可能であり、汎用性と実用性に優れる。但し、逃し溝４０は必須のものではなく、省略してもよい。
【００３１】
次に、前記実施形態を部分的に変更する例について説明する。
１）図１２、図１３に示すように、弾性を有する薄い金属板製のシャッター部材３０Ａに３カ所以上の屈曲部４３，４４，４５を形成してもよい。尚、シャッター部３１の形状は前記のものに限定される訳ではなく、プラグ装着穴６内でレーザ光を遮断可能な形状であればよい。
２）前記光コネクタ１では、２本の光ファイバを接続可能な光コネクタを例にして説明したが、１本の光ファイバを接続する光コネクタにも同様に本発明を適用することができる。また、前記コネクタ本体２の代わりに、レセプタクル型のコネクタ本体を装備した光コネクタにも本発明を同様に適用可能である。
【００３２】
３）前記光コネクタ１は、ＬＣ型光コネクタに本発明を適用した場合を例にして説明したが、ＬＣ型光コネクタに限らず、ＭＵ型光コネクタや，ＳＣ型光コネクタにも、本発明の技術思想を適用してシャッター部材を設けることができる。
４）前記シャッター部材３０は、ステンレス板製に限らず、種々の金属薄板で構成してもよく、強度、剛性に優れる種々の不透明な合成樹脂材料で弾性のある構造に構成してもよい。
その他、当業者ならば、本発明の趣旨を逸脱しない範囲で前記実施形態に種々の変更を付加した形態で実施可能であることは勿論である。
【００３３】
【発明の効果】請求項１の発明によれば、弾性体からなるシャッター部材がシャッター部とアンカー部とからなる簡単な構造のものであり、そのシャッター部をプラグ装着穴に挿入しつつ、アンカー部をコネクタ本体の側壁部のアンカー穴にプラグ装着方向と平行に挿入するという簡単な方法でシャッター部材を組み付けることができる。それ故、シャッター部材とそれに付随する構造が非常に簡単であり、簡単に組み付けることができ、安価に製作可能な光コネクタとなる。しかも、シャッター部材を取り付ける為に、アンカー穴をコネクタ本体の側壁部に形成すればよいので、ＬＣ型光コネクタのような規格化された光コネクタにも適用可能なシャッター部材付き光コネクタを実現することができる。
【００３４】
請求項２の発明によれば、シャッター部材のシャッター部は、プラグ装着穴内で出射光を遮断する遮断位置と、プラグ装着穴に装着されたプラグにより前記側壁側へ押圧された退避位置とに亙って弾性変形可能に構成されているため、シャッター部材の位置切り換えを、プラグの装着・取り外しにより自動的に行うことができる。
【００３５】
請求項３の発明によれば、コネクタ本体のプラグ装着穴の内面のうち前記側壁部側の内面に、退避位置に切り換えられたシャッター部材のシャッター部を逃す逃し溝を形成したので、シャッター部材のシャッター部が退避位置に切り換えられた際には、前記逃し溝に逃れるためシャッター部がプラグで無理に押圧されることもなく、シャッター部材がヘタリにくくなり、耐久性を確保することができる。
【００３６】
請求項４の発明によれば、シャッター部材の前端板部を側壁部の前端の前端溝に当接させることで、シャッター部材の前後方向の位置を規制することができる。アンカー部にアンカー本体板部と抜止め板部とを設けるため、この抜止め板部をアンカー穴に挿入装着することでシャッター部材をコネクタ本体に簡単に固定することができる。
【００３７】
請求項５の発明によれば、側壁部に偏平穴部とその奥側の拡大穴部とを形成し、これら偏平穴部と拡大穴部を介してシャッター部材のアンカー部を簡単に固定することができる。
【００３８】
請求項６の発明によれば、拡大穴部の前端部の内側部に、アンカー部の抜止め板部の前端の自由端部が当接する傾斜状又は湾曲状の受止め部を形成したので、コネクタ本体に対してシャッター部材をガタツキのない状態に組み付けることができる。
【図面の簡単な説明】
【図１】本発明の実施形態に係る光コネクタの斜視図である。
【図２】コネクタ本体の斜視図である。
【図３】コネクタ本体の斜視図である。
【図４】コネクタ本体（シャッター部材未装着）の斜視図である。
【図５】コネクタ本体（シャッター部材未装着）の斜視図である。
【図６】コネクタ本体の斜視図である。
【図７】コネクタ本体の斜視図である。
【図８】シャッター部材の斜視図である。
【図９】シャッター部材の斜視図である。
【図１０】コネクタ本体の第１本体分割体の縦断面図である。
【図１１】図１０の要部拡大図である。
【図１２】変更例のシャッター部材の斜視図である。
【図１３】変更例のシャッター部材の側面図である。
【符号の説明】
１          光コネクタ
２          コネクタ本体
３          プラグ
６          プラグ装着穴
３０        シャッター部材
３１        シャッター部
３２        アンカー部
３３        前端板部
３６        アンカー本体板部
３７        抜け止め板部
３８        アンカー穴
３８ａ      偏平穴部
３８ｂ      拡大穴部
【図１】
2005017598.tif 000003
【図２】
2005017598.tif 000004
【図３】
2005017598.tif 000005
【図４】
2005017598.tif 000006
【図５】
2005017598.tif 000007
【図６】
2005017598.tif 000008
【図７】
2005017598.tif 000009
【図８】
2005017598.tif 000010
【図９】
2005017598.tif 000011
【図１０】
2005017598.tif 000012
【図１１】
2005017598.tif 000013
【図１２】
2005017598.tif 000014
【図１３】
2005017598.tif 000015